(57)【要約】【課題】ファン式防虫装置を使用する際、大きなスペースを取るといったことをなくして、衣類収納空間内に収納する衣類等のスペースが減ってしまうのを防止するファン式防虫装置を提供する。【解決手段】扁平中空直方体状の収納容器本体１と、この収納容器本体１における巾広の側面部の一方寄りに開口した吸込口４と、前記収納容器本体１における吸込口４の反対側である他方寄りであって、巾狭の側面部に開口した放出口５と、前記収納容器本体１の一方寄りであって、一側面が前記吸込口４に臨むように設置された薬剤保持体６と、前記収納容器本体１の他方寄りであって、排出側が前記放出口５に臨む送風体９と、前記収納容器本体１内であって、前記薬剤保持体６の他側面と前記送風体９の吸込側とを連通するダクト１４と、よりなるファン式防虫装置である。【選択図】      図３
2004194586.tif 000002
【特許請求の範囲】
【請求項１】
扁平中空直方体状の収納容器本体１と、
この収納容器本体１における巾広の側面部の一方寄りに開口した吸込口４と、
前記収納容器本体１における吸込口４の反対側である他方寄りであって、巾狭の側面部に開口した放出口５と、
前記収納容器本体１の一方寄りであって、一側面が前記吸込口４に臨むように設置された薬剤保持体６と、
前記収納容器本体１の他方寄りであって、排出側が前記放出口５に臨む送風体９と、
前記収納容器本体１内であって、前記薬剤保持体６の他側面と前記送風体９の吸込側とを連通するダクト１４と、
よりなることを特徴とするファン式防虫装置。
【発明の詳細な説明】
【０００１】
【発明の属する技術分野】
本発明は、タンスやクローゼット等の衣類収納空間で使用するファン式防虫装置に関し、特に、収納容器本体を備えると共に、この収納容器本体に害虫防除成分を有する薬剤を保持する薬剤保持体と送風体とを備えたファン式防虫装置に関する。
【０００２】
【従来の技術】
従来、タンスやクローゼット等の衣類収納空間で使用するファン式防虫装置としては、例えば、特開平１１−３０８９５５号公報に記載されたように、害虫防除成分を有する薬剤を保持する薬剤保持体と送風体とこの送風体を作動するための電池とを内蔵し、送風体の作動により薬剤保持体に保持した害虫防除成分を有する薬剤を放出口より外部に放出することで、タンスやクローゼット等の衣類収納空間に薬剤を行き渡せて、衣類の防虫を行うものが知られていた。
【０００３】
【特許文献１】
特開平１１−３０８９５５号公報
【０００４】
【発明が解決しようとする課題】
かかる従来のファン式防虫装置にあっては、薬剤保持体と送風体とを直列的に配置する関係上、どうしても厚みが増してしまうことがあり、このため、当該ファン式防虫装置を、タンスやクローゼット等の衣類収納空間内に使用する際、ある程度のスペースを取ってしまい、強いては衣類収納空間内に収納する衣類等のスペースが減ってしまうといった問題が生じるおそれがあった。
【０００５】
本発明は、上記の問題に鑑みなされたものであり、当該ファン式防虫装置を使用する際、大きなスペースを取るといったことをなくして、衣類収納空間内に収納する衣類等のスペースが減ってしまうのを防止するファン式防虫装置を提供することを、その課題とするものである。
【０００６】
【課題を解決するための手段】
本発明は、扁平中空直方体状の収納容器本体と、この収納容器本体における巾広の側面部の一方寄りに開口した吸込口と、前記収納容器本体における吸込口の反対側である他方寄りであって、巾狭の側面部に開口した放出口と、前記収納容器本体の一方寄りであって、一側面が前記吸込口に臨むように設置された薬剤保持体と、前記収納容器本体の他方寄りであって、排出側が前記放出口に臨む送風体と、前記収納容器本体内であって、前記薬剤保持体の他側面と前記送風体の吸込側とを連通するダクトと、よりなるファン式防虫装置である。
【０００７】
【作    用】
本発明によれば、収納容器本体を扁平中空直方体状として、この収納容器本体内の一方寄りに薬剤保持体を設置し、他方寄りに送風体を備えて、収納容器本体内に薬剤保持体と送風体とを連通するダクトを備えたことで、収納容器本体における巾狭側の寸法を、薬剤保持体あるいは送風体の厚みとダクトの厚みのみの寸法にすることができ、全体を扁平な形に、すなわち当該ファン式防虫装置を極力薄くすることができる。
【０００８】
【発明の実施の形態】
本発明によるファン式防虫装置の一実施形態について説明する。
ファン式防虫装置としては、図１、図２、図３及び図４に示すように、左右両端が半円形で左右横に伸びた扁平中空直方体状の収納容器本体１を備える。この収納容器本体１は、一方寄り（図１及び図３中、左側）を開放した巾広の前側の側面部及び後側の側面部と巾狭の上下左右のそれぞれの側面部とからなるケース２と、このケース２の巾広の前側の側面部の一方寄りの開放した部分を塞ぐカバー３とから構成すると共に、カバー３はケース２に対して着脱自在にする。
【０００９】
そして、この収納容器本体１における巾広の前側の側面部の一方寄り、すなわち左側に設けたカバー３に吸込口４を開口し、この吸込口４はスリットを円形に年輪状に形成したもので、空気を内部に吸込むためのものである。
【００１０】
また、前記収納容器本体１における吸込口４の反対側である他方寄り、すなわち右側であって、巾狭の右側の側面部に放出口５を開口し、この放出口５は複数のスリットを縦に形成したもので、空気を外部に放出するためのものである。
【００１１】
一方、前記収納容器本体１の一方寄りである左側であって、一側面が前記吸込口４に臨むように薬剤保持体６を設置し、この薬剤保持体６は、前後の側面がそれぞれ開口した円形状の容器７を備え、この容器７の中に害虫防除成分を有する薬剤を含浸させた粒状の担体８を収容することで、薬剤を保持している。そして、前後の側面の開口した箇所から空気の出入りが行われる。
【００１２】
また、前記収納容器本体１の他方寄りである右側であって、排出側が前記放出口に臨む送風体９を備えて、この送風体９は、遠心送風機の一種であるシロッコファンと呼ばれる多翼式送風機であり、回転方向に対して多数の幅の細い羽根１０を円筒状に配置したもので、その回転中心にモータ１１を備えて、このモータ１１を電池１２によって駆動することにより多数の羽根１０を回転させることで、空気を遠心方向に流す。
【００１３】
さらに、前記収納容器本体１における薬剤保持体６と送風体９との間、すなわち左右中央には、電池１２を収納する電池収納部１３を設置して、この電池収納部１３に収納した電池１２により送風体９を作動させる。なお、電池収納部１３にあっては２本の電池１２を収納している。
【００１４】
なお、この電池収納部１３と薬剤保持体６とにあっては、互いに連結しており、収納容器本体１のカバー３を開けたとき、電池収納部１３と薬剤保持体６とを同時に取り外すことができる構造にしている。
【００１５】
そして、前記収納容器本体１内であって、一方寄りである左側の薬剤保持体６の他側面と、他方寄りである右側の送風体９の吸込側とを連通するダクト１４を備える。このダクト１４は、収納容器本体１の後側の側面部と板状の仕切り板１５と内周板１６とによって、収納容器本体１内の後部に形成する。これにより、収納容器本体１の左側である吸込口４及び薬剤保持体６からダクト１４を経て収納容器本体１の右側である送風体９、そして放出口５へと達する空気の流路が形成される。
【００１６】
なお、このダクト１４にあっては、巾寸法を２ｍｍ以上とし、好ましくは２ｍｍ以上１５ｍｍ以下、より好ましくは５ｍｍ以上１０ｍｍ以下とするのが良い。これにより、送風体９に負荷がかかることなく、送風体９における薬剤保持体６からの吸込みを極めて良好に行うことができ、終始安定した薬剤の吸込み、強いては薬剤の放出口５からの放出を良好にすることができる。
【００１７】
このようになることで、タンスやクローゼット等の衣類収納空間に当該ファン式防虫装置を設置して使用した場合、送風体９の作動によって、吸込口４から空気が吸込まれて、吸込まれた空気が薬剤保持体６内を通過し、このとき薬剤保持体６に保持した薬剤が空気と混合し流れる。そして、前記収納容器本体１の後部に形成されたダクト１４内を左側から右側に流れて、送風体９に達し、この送風機９内を通過して、放出口５より薬剤が外部に放出するようになり、タンスやクローゼット等の衣類収納空間に薬剤を行き渡せて、衣類の防虫を行うようにする。
【００１８】
このように、収納容器本体１を扁平中空直方体状として、この収納容器本体１内の一方寄りに薬剤保持体６を設置し、他方寄りに送風体９を備えて、収納容器本体１内に薬剤保持体６と送風体９とを連通するダクト１４を備えたことで、収納容器本体１における巾狭側の寸法を、薬剤保持体６あるいは送風体９の厚みとダクト１４の厚みのみの寸法にすることができ、全体を扁平な形に、すなわち当該ファン式防虫装置を極力薄くすることができ、ファン式防虫装置をタンスやクローゼット等の衣類収納空間内に使用する際、当該ファン式防虫装置によって大きなスペースを取るのをなくして、衣類収納空間内に収納する衣類等のスペースが減ってしまうのを防止することができる。
【００１９】
また、前述の衣類収納空間以外の使用形態として、扁平中空直方体状の収納容器本体１からなるファン式防虫装置にあっては、形状的にスリムであり、壁や柱等に取り付け易く、また、外観的に違和感がないことから、室内において、例えば、蚊等の侵入害虫の防除装置として使用することもできる。
【００２０】
また、吸込口４を収納容器本体１における巾広の前側の側面部の一方寄り開口すると共に、放出口５を収納容器本体１における吸込口４の反対側である他方寄りの巾狭の右側の側面部に開口したことで、当該ファン式防虫装置を衣類収納空間内に使用する際、収納容器本体１における巾広の後側の側面部を衣類収納空間の壁等に密着して使用しても、吸込口４や放出口５が塞がれることがなく、良好に吸込口４より空気を吸込むことができ、そして、放出口５より良好に薬剤を放出することができる。
【００２１】
さらに、薬剤保持体６の薬剤を送風体９によって吸込んで、放出口５より薬剤を放出する、すなわち、送風体９の吸込み側に薬剤保持体６を配置して、送風体９において薬剤を吸込む形にしたことで、吸込まれた空気が、薬剤保持体６の容器の内部全体をむらなく通過し、全ての薬剤を含浸させた担体８に接することで、個々の薬剤を含浸させた担体８から均一の薬剤を通過気流に乗せ、送風体９の吸込み側に向かって運搬され、放出口５から外部に放出される。また、空気の吸込みが、送風体９の吐出し側（放出側）に比べ、薬剤保持体６中の空気通過が確実であり、かつ通過力が強いことから、薬剤を無駄なく最後まで効率良く放出することができ、常時、均一の薬剤量が求められる防虫剤の放散には適している。
【００２２】
また、薬剤保持体６と電池収納部１３とにおいて、薬剤保持体６と電池収納部１３とを互いに連結して、収納容器本体１のカバー３を開けたとき、収納容器本体１内より同時に取り外すことができるような構造にしたことで、薬剤保持体６や電池収納部１３に収納した電池１２を交換する場合、非常に容易に交換作業を行うことができる。
【００２３】
なお、本発明における薬剤保持体６に用いる害虫防除成分を有する薬剤である防虫剤としては、充分な防虫活性を有し、送風によって揮散する化合物であれば特に限定されるものではないが、安全面からピレスロイド系化合物が好ましい。これは例えば、ピレトリン、アレスリン、フタルスリン、レスメトリン、フラメトリン、フェノトリン、ペルメトリン、シフェノトリン、プラレトリン、エトフェンプロックス、エンペントリン、メトフルトリン、トランスフルトリン等である。
【００２４】
次に、前述の一実施形態の変形例を多数説明する。
前述したファン式防虫装置は、左右両端が半円形で左右横に伸びた扁平中空直方体状の収納容器本体１であったが、これを、図５に示すように、上下縦に伸びた扁平中空直方体状の収納容器本体１にする。
【００２５】
そして、この収納容器本体１における巾広の前側の側面部の一方寄り、すなわち下側に設けたカバー３に吸込口４を開口すると共に、収納容器本体１における吸込口４の反対側である他方寄り、すなわち上側であって、巾狭の上側の側面部に放出口５を開口する。
【００２６】
そして、前記収納容器本体１の一方寄りである下側であって、一側面が前記吸込口４に臨むように薬剤保持体６を設置すると共に、収納容器本体１の他方寄りである上側であって、排出側が前記放出口５に臨む送風体９を備える。
【００２７】
そして、前記収納容器本体１内であって、一方寄りである下側の薬剤保持体６の他側面と、他方寄りである上側の送風体９の吸込側とを連通するダクト１４を備える。これにより、収納容器本体１の下側である吸込口４及び薬剤保持体６からダクト１４を経て収納容器本体１の上側である送風体９、そして放出口５へと達する空気の流路が形成される。
【００２８】
また、収納容器本体１の上側の左右両側には取り付け部１７をそれぞれ備え、この取り付け部１７は、壁等に付けたネジやフックが掛合する穴である。これにより、当該ファン式防虫装置を上下に伸びた縦向きに設置することができる。
【００２９】
これによっても、前述した実施形態と同様の作用効果を奏する。
【００３０】
さらに、この変形例としては、図６に示すように、収納容器本体１が上下縦に伸びた扁平中空直方体状になるものにおいて、収納容器本体１にあっては、下側から上側に向けて左右の巾が狭くなるような形状にすると共に、前述の実施形態で述べた上側の左右両側に備えた取り付け部１７をなくして、その代わりに下側に台座１８を備えるようにしても良い。なお、この収納容器本体１の形状にあって、薬剤保持体６として、薬剤及び薬剤を含浸する担体８を増量して容器７を大きくする場合、厚みを厚くするのではなく、直径を拡げることにより、すなわち収納容器本体１の下側を左右に巾をさらに広くすることで、収納容器本体１の巾狭側の寸法を変えることなく、全体を扁平な形で薄くしている。
【００３１】
また、他の変形例としては、図７及び図８に示すように、収納容器本体１が上下縦に伸びた扁平中空直方体状になるものにおいて、収納容器本体１にあっては、巾広の前側の側面部の下側に設けたカバー３をなくして、薬剤保持体６の一側面と電池収納部１３の一側面とが外側に露出するようにして、薬剤保持体６の一側面が吸込口４の役目を果たすようにする。
【００３２】
そして、収納容器本体１における上側であって、巾狭の側面部に開口する放出口５にあっては、左右両側に放出口５をそれぞれ開口する。また、放出口５からの薬剤の放出を左右両側に向けることができ、広範囲に薬剤を放出することができる。
【００３３】
次に、前記収納容器本体１内であって、収納容器本体１の後側の側面部と板状の仕切り板１５と内周板１６とによって、収納容器本体１内の後部に形成されるダクト１４の変形例について説明する。この場合、収納容器本体１が左右横に伸びた扁平中空直方体状になるもので説明する。図９に示すように、仕切り板１５に段差１９を形成して、送風体９近傍の巾寸法を狭くしたり、あるいは、図１０に示すように、収納容器本体１の後側の側面部に段差２０を形成して、送風体９近傍の巾寸法を狭くしたりする。
【００３４】
なお、前記ダクト１４の巾寸法にあっては、薬剤保持体６側及び送風体９側の巾寸法を薬剤保持体６や送風体９の厚さ等によって選択することが好ましい。ただし、ダクト１４の巾寸法においては、狭いところでも２ｍｍ以上とし、好ましくは２ｍｍ以上１５ｍ以下、より好ましくは５ｍｍ以上１０ｍｍ以下とすることが好ましい。また、このダクト１４の巾寸法は同寸であっても良い。なお、このダクト１４の巾寸法について、２ｍｍ未満の場合は空気の吸込み量が抑制されて、薬剤の放出量が少なく、また速効性に欠けるおそれがある。また、広範囲の防虫剤に適用でき、短時間で多量の放出を行う場合や広い範囲で使用する場合において充分な効果を発揮するには、５ｍｍ以上が好ましい。一方、ダクト１４の巾寸法の上限については、１５ｍｍ以上だと、既存の防虫装置と何ら大差がなく、装置の薄型化による作用効果が低減する。なお、送風体９としてシロッコファン等を用いて電池電源とした場合、能力的に１５ｍｍ以上は必要ではなく、１０ｍｍ以上から薬剤の放散量の違いが少なくなることから、上限を１０ｍｍとしても良い。
【００３５】
また、図１１、図１２に示すように、内周板１６の間隔寸法を中間部が若干狭くなるようにしても良いし、内周板１６の間隔寸法を薬剤保持体６側から送風体９側に向かって狭くなるようにしても良い。
【００３６】
なお、いろいろな変形例を示したが、本発明にあっては、これらに限定されるものではなく、同様の機能、機構を有するのであれば、他の形状や構造のものでも良い。
【００３７】
【発明の効果】
本発明は、収納容器本体を扁平中空直方体状として、この収納容器本体内の一方寄りに薬剤保持体を設置し、他方寄りに送風体を備えて、収納容器本体内に薬剤保持体と送風体とを連通するダクトを備えたことにより、収納容器本体における巾狭側の寸法を、薬剤保持体あるいは送風体の厚みとダクトの厚みのみの寸法にすることができ、全体を扁平な形に、すなわち当該ファン式防虫装置を極力薄くすることができ、ファン式防虫装置をタンスやクローゼット等の衣類収納空間内に使用する際、当該ファン式防虫装置によって大きなスペースを取るのをなくして、衣類収納空間内に収納する衣類等のスペースが減ってしまうのを防止することができる。
【図面の簡単な説明】
【図１】本発明によるファン式防虫装置の正面図である。
【図２】本発明によるファン式防虫装置の右側面図である。
【図３】本発明によるファン式防虫装置のＡ−Ａ断面図である。
【図４】本発明によるファン式防虫装置のＢ−Ｂ断面図である。
【図５】本発明によるファン式防虫装置の変形例の正面図である。
【図６】本発明によるファン式防虫装置の変形例の正面図である。
【図７】本発明によるファン式防虫装置の変形例の正面図である。
【図８】本発明によるファン式防虫装置の変形例のＣ−Ｃ断面図である。
【図９】本発明によるファン式防虫装置におけるダクトの変形例の説明図である。
【図１０】本発明によるファン式防虫装置におけるダクトの変形例の説明図である。
【図１１】本発明によるファン式防虫装置におけるダクトの変形例の説明図である。
【図１２】本発明によるファン式防虫装置におけるダクトの変形例の説明図である。
【符号の説明】
１…収納容器本体、２…ケース、３…カバー、４…吸込口、５…放出口、６…薬剤保持体、７…容器、８…担体、９…送風体、１０…羽根、１１…モータ、１２…電池、１３…電池収納部、１４…ダクト、１５…仕切り板、１６…内周板、１７…取り付け部、１８…台座、１９…段差、２０…段差。
【図１】
2004194586.tif 000003
【図２】
2004194586.tif 000004
【図３】
2004194586.tif 000005
【図４】
2004194586.tif 000006
【図５】
2004194586.tif 000007
【図６】
2004194586.tif 000008
【図７】
2004194586.tif 000009
【図８】
2004194586.tif 000010
【図９】
2004194586.tif 000011
【図１０】
2004194586.tif 000012
【図１１】
2004194586.tif 000013
【図１２】
2004194586.tif 000014